(57)【特許請求の範囲】
【請求項１】
端末が、前記端末のディスプレイ上に表示される初期画像の初期画像データを受信する段階であって、前記初期画像データは、予め定められた基準閾値セットで特定される範囲内に輝度値がない少なくとも１つの画素を含む領域であるムラ領域の画像データを含む、段階と、
前記端末が、前記初期画像データに基づいて、前記ムラ領域に含まれる前記少なくとも１つの画素の標的特徴データのセットである標的特徴データセットを判定する段階と、
前記端末が、予め設定された特徴データと補正値との間の対応関係に従って、前記少なくとも１つの画素の前記標的特徴データのそれぞれに対応する少なくとも１つの標的補正値のセットである標的補正値セットを取得する段階と、
前記標的補正値セットに従って前記端末が前記ムラ領域を補正するように、前記端末が前記標的補正値セットを前記端末に書き込む段階と
を備える、ディスプレイムラ補正のための方法。
【請求項２】
前記対応関係は、複数のＬＵＴを含み、前記複数のＬＵＴは、ｎ組の特徴データ及び補正値を含む対応関係であり、ｎは１より大きい正の整数であり、前記端末が前記標的補正値セットを前記端末に書き込む前記段階の後に、前記方法は更に、
前記端末が、予め設定された期間後に、前記ディスプレイの現在の輝度減衰値に従って、前記複数のＬＵＴのうちの前記輝度減衰値に対応する標的ＬＵＴを判定する段階と、
現在使用されているＬＵＴを前記標的ＬＵＴに更新する段階であって、前記ＬＵＴ及び前記輝度減衰値は一対一の対応関係にある、段階と
を備える、請求項１に記載の方法。
【請求項３】
前記ムラ領域は、複数の標的ムラ領域を含み、
前記取得する段階は、
前記端末が、前記複数の標的ムラ領域の各々に含まれる前記少なくとも１つの画素の前記標的特徴データのそれぞれに対応する前記少なくとも１つの標的補正値のセットである前記標的補正値セットを前記ＬＵＴから取得する段階を有し、
前記書き込む段階は、前記複数の標的ムラ領域の各々の優先度を判定した後、前記端末が、補正された標的画像データを取得するために、前記標的補正値セットに従って前記複数の標的ムラ領域における画素を前記優先度の降順に補正する段階を有する、請求項２に記載の方法。
【請求項４】
前記書き込む段階の後に、
前記ムラ領域の輝度値と基準閾値との差を補償する補償処理を受けた前記ムラ領域の標的グレースケール係数を取得する段階と、
前記標的グレースケール係数を、通常領域の予め設定されたグレースケール係数と比較し、比較結果を取得する段階と、
前記比較の結果が予め設定された補正合格条件を満たさないとき、前記予め設定された補正合格条件が満たされるまで補正処理を繰り返し、前記標的補正値セットを更新するために、前記補正合格条件が満たされるときに取得された補正値セットを前記端末に書き込む段階と
を更に備える、請求項１から３のいずれか一項に記載の方法。
【請求項５】
前記標的補正値セットを前記ＬＵＴから取得する前記段階は、
前記ＬＵＴに従って、前記複数の標的ムラ領域のそれぞれに含まれる前記少なくとも１つの画素の前記標的特徴データに対応する数値区間を判定する段階と、
前記標的補正値セットを取得するために、予め設定された選択方針に従って、前記複数の標的ムラ領域のそれぞれに含まれる前記少なくとも１つの画素の前記標的特徴データに対応する前記標的補正値を選択する段階と
を備える、請求項３に記載の方法。
【請求項６】
端末のディスプレイ上に表示される初期画像の初期画像データを受信する受信モジュールであって、前記初期画像データは、予め定められた基準閾値セットで特定される範囲内に輝度値がない少なくとも１つの画素を含む領域であるムラ領域の画像データを含む、受信モジュールと、
前記受信モジュールによって受信される前記初期画像データに基づいて、前記ムラ領域に含まれる前記少なくとも１つの画素の標的特徴データのセットである標的特徴データセットを判定する判定モジュールと、
予め設定された特徴データと補正値との間の対応関係に従って、前記判定モジュールによって判定される、前記少なくとも１つの画素の、前記標的特徴データのそれぞれに対応する少なくとも１つの標的補正値のセットである標的補正値セットを取得する処理モジュールと、
前記端末が前記標的補正値セットに従って前記ムラ領域を補正するように、前記処理モジュールによって取得される前記標的補正値セットを前記端末に書き込む書き込みモジュールと
を備える、画像調整のための装置。
【請求項７】
標的画像データを取得するために、前記書き込みモジュールによって書き込まれる前記標的補正値セットに従って前記ムラ領域を補正する補正モジュールと、
前記補正モジュールによる補正によって取得される前記標的画像データに対応する標的画像を出力する出力モジュールと
を更に備える、請求項６に記載の装置。
【請求項８】
前記対応関係は、特徴データと補正値との間の対応関係をｎ組含むルックアップテーブル（ＬＵＴ）であり、ｎは１より大きい正の整数であり、複数のＬＵＴが存在し、
前記装置は、予め設定された期間後に、前記ディスプレイの現在の輝度減衰値に従って、前記複数のＬＵＴのうちの前記輝度減衰値に対応する標的ＬＵＴを判定し、現在使用されているＬＵＴを前記標的ＬＵＴに更新する、前記ＬＵＴ及び前記輝度減衰値は一対一の対応関係にある、更新モジュールを更に備える、請求項７に記載の装置。
【請求項９】
前記装置は、前記初期画像データの前記ムラ領域を取得する取得モジュールであって、前記初期画像データの前記ムラ領域は、複数の標的ムラ領域を有する、取得モジュールを更に備え、
前記処理モジュールは、前記複数の標的ムラ領域の各々に含まれる前記少なくとも１つの画素の前記標的特徴データのそれぞれに対応する前記少なくとも１つの標的補正値のセットである前記標的補正値セットを前記ＬＵＴから取得し、
前記取得モジュールは更に、前記複数の標的ムラ領域の各々の優先度を取得し、
前記補正モジュールは更に、前記標的補正値セットに従って、前記取得モジュールによって取得される前記優先度の降順に、前記複数の標的ムラ領域における画素を補正する、
請求項８に記載の装置。
【請求項１０】
前記取得モジュールは更に、前記ムラ領域の輝度値と基準閾値との差を補償する補償処理を受けた前記ムラ領域の標的グレースケール係数を取得し、
前記装置は更に、比較結果を取得するために、前記標的グレースケール係数を通常領域の予め設定されたグレースケール係数と比較する比較モジュールを備え、
前記処理モジュールは更に、前記比較モジュールによって取得された前記比較結果が予め設定された補正合格条件を満たさないとき、前記予め設定された補正合格条件が満たされるまで、補正処理を繰り返す、
請求項９に記載の装置。
【請求項１１】
前記処理モジュールは更に、前記ＬＵＴに従って、前記複数の標的ムラ領域のそれぞれに含まれる前記少なくとも１つの画素の前記標的特徴データに対応する数値区間を判定し、
予め設定された選択方針に従って、前記複数の標的ムラ領域のそれぞれに含まれる前記少なくとも１つの画素の前記標的特徴データに対応する標的補正値を選択する、請求項９又は１０に記載の装置。
【請求項１２】
ビデオデコーダと、
メモリと、
ダイレクトメモリアクセスコントローラと、
プロセッサと
を備える通信端末であって、
前記ビデオデコーダは、前記通信端末へ入力される初期画像データを復号化し、前記初期画像データは、予め定められた基準閾値セットで特定される範囲内に輝度値がない少なくとも１つの画素を含む領域であるムラ領域の画像データを含み、
前記メモリは、予め設定された特徴データと補正値との間の対応関係を記憶し、
前記ダイレクトメモリアクセスコントローラは、前記ビデオデコーダが前記初期画像データを復号化するフェーズにおいて、前記ムラ領域を補正するように、前記プロセッサがクエリ要求を前記ダイレクトメモリアクセスコントローラへ送信するとき、前記メモリから取得された前記対応関係を含むデータを前記プロセッサへ送信し、前記クエリ要求は、前記ムラ領域に含まれる前記少なくとも１つの画素の標的特徴データのセットである標的特徴データセットに対応する標的補正値セットをクエリするための要求であり、
前記プロセッサは、前記ビデオデコーダによる復号化によって取得される前記初期画像データに従って、前記標的特徴データセットを判定し、前記ダイレクトメモリアクセスコントローラによって送信される前記対応関係に従って、前記少なくとも１つの画素の前記標的特徴データのそれぞれに対応する少なくとも１つの標的補正値のセットである前記標的補正値セットを取得し、前記標的補正値セットに従って前記ムラ領域を補正するように、前記標的補正値セットを前記メモリに書き込む、
通信端末。
【請求項１３】
前記対応関係は、特徴データと補正値との間の対応関係をｎ組含むルックアップテーブル（ＬＵＴ）であり、ｎは１より大きい正の整数であり、複数のＬＵＴが存在し、前記プロセッサは更に、
予め設定された期間の後に、ディスプレイの現在の輝度減衰値に従って、前記複数のＬＵＴのうちの前記輝度減衰値に対応する標的ＬＵＴを判定し、前記メモリ内に現在記憶されているＬＵＴを前記標的ＬＵＴに更新し、前記ＬＵＴ及び前記輝度減衰値は、一対一の対応関係にある、請求項１２に記載の通信端末。
【請求項１４】
前記プロセッサは、
前記ムラ領域が複数の標的ムラ領域を含むとき、前記ＬＵＴにおいてクエリを実行して、前記複数の標的ムラ領域の各々に含まれる前記少なくとも１つの画素の前記標的特徴データのそれぞれに対応する前記少なくとも１つの標的補正値のセットである前記標的補正値セットを取得し、
前記複数の標的ムラ領域の各々の優先度が判定された後に、前記標的補正値セットを使用することによって、前記優先度の降順に、前記複数の標的ムラ領域における画素を補正する、
請求項１３に記載の通信端末。
【請求項１５】
請求項１から５のいずれか一項に記載のディスプレイムラ補正方法をコンピュータに実行させるコンピュータプログラム。
【発明の詳細な説明】
【技術分野】
【０００１】
本発明は、ディスプレイ技術の分野に関し、特に、ディスプレイムラ補正方法、装置、及びシステムに関する。
【背景技術】
【０００２】
ディスプレイ付きのデバイスを生産するプロセスにおいて、ディスプレイは、ムラ（Ｍｕｒａ）の不良を起こしやすく、また、ムラの種類には主に、角ムラ、十字形ムラ、丸形ムラ、円弧形ムラ、及び同様のものが含まれるため、ムラのサイズ及び同様のものは、より複雑になる。例えば、電流インピーダンス降下（Ｃ−Ｉ降下、Ｃｕｒｒｅｎｔ−Ｉｍｐｅｄａｎｃｅ  Ｄｒｏｐ）、有機発光ダイオード（ＯＬＥＤ，  Ｏｒｇａｎｎｉｃ  Ｌｉｇｈｔ  Ｅｍｉｔｔｉｎｇ  Ｄｉｏｄ）の不均一な材料特性、抵抗容量遅延（Ｒｅｓｉｓｔａｎｃｅ−Ｃａｐａｃｉｔａｎｃｅ  Ｄｅｌａｙ）特性、バイアス電圧、又は、膜の圧迫若しくは折れなど、ムラを引き起こす主な原因に起因して、ディスプレイが画像、特に、同一のグレースケールの大面積画像を表示するとき、ディスプレイは不均一な輝度を示し、画像を異常に表示する。
【０００３】
従来技術において、ムラは通常、周辺補償試験システムを使用することによって減少する。ディスプレイ上に現在表示されている画像を取得するべく、カメラを使用して、ディスプレイ上に表示されるソリッドカラーの画像を撮影する。各画素の輝度が分析され、次に、輝度が比較的低い領域の輝度を増加させるべく、及び、輝度が比較的高い領域の輝度を減少させるべく、分析結果に従ってデータ電圧が調整される。これは、ディスプレイの輝度の予想される均一性に到達するまで繰り返される。次に、標準範囲を超える輝度に対応する補正データが、記憶ユニット内において、ルックアップテーブル（ＬＵＴ，Ｌｏｏｋ  ｕｐ  ｔａｂｌｅ）として記憶される。この場合、ムラが後に補正されるとき、ＬＵＴを呼び出すことによって、対応する補正データが取得され、それにより、ディスプレイのムラ現象が修正される。
【０００４】
しかしながら、周辺補償試験テストシステムは、複数回にわたって電圧を繰り返し調整する必要があり、それにより、補正効率が低下する。また、周辺補償試験システムは大型であり、複雑な構造を有する。
【発明の概要】
【０００５】
本発明は、ディスプレイムラの補正が難しいという従来技術の問題を解決するように、ディスプレイムラ補正方法、装置、及びシステムを提供する。
【０００６】
本発明の第１態様は、端末が端末のディスプレイ上に表示される初期画像の初期画像データを取得する段階であって、初期画像データは初期画像に対応するムラ（Ｍｕｒａ）領域の画像データを含み、基準閾値セット内に輝度値が無い、少なくとも１つの画素が初期画像データ内に存在するとき、ムラ領域は、ディスプレイ上で当該少なくとも１つの画素によって覆われる領域である、段階と、端末が、ムラ領域の標的特徴データセットを判定する段階であって、標的特徴データセットは、当該少なくとも１つの画素の標的特徴データのセットを含む、段階と、端末が、特徴データと補正値との間の対応関係、及び少なくとも１つの画素の標的特徴データに従って、標的特徴データセットに対応する標的補正値セットを取得する段階と、標的補正値セットに従って端末がムラ領域を補正するように、端末が標的補正値セットを端末に書き込む段階とを備える、ディスプレイムラ補正方法を提供する。
【０００７】
第１態様に関連して、本発明の第１態様の第１の実装方式において、対応関係は、特徴データと補正値との間の対応関係セットをｎ組含むルックアップテーブル（ＬＵＴ）であり、ｎは１より大きい正の整数であり、複数のＬＵＴが存在し、標的補正値セットを端末に書き込む段階の後に、方法は更に、予め設定された期間後に、ディスプレイの現在の輝度減衰値に従って、輝度減衰値に対応する標的ＬＵＴを判定する段階と、現在使用されているＬＵＴを標的ＬＵＴに更新する段階であって、ＬＵＴ及び輝度減衰値は一対一の対応関係にある、段階とを備える。
【０００８】
第１態様の第１の実装方式に関連して、本発明の第１態様の第２の実装方式において、ムラ領域は、複数の標的ムラ領域を含み、特徴データと補正値との間の対応関係、及び少なくとも１つの画素の標的特徴データに従って、標的特徴データセットに対応する標的補正値セットを取得し、標的補正値セットを端末に書き込む、段階は、具体的には、標的補正値セットを取得するために、複数の標的ムラ領域の各々に対応する標的補正値をＬＵＴから取得する段階と、標的補正値セットを端末に書き込む段階であって、これにより、複数の標的ムラ領域の各々の優先度を判定した後に、端末は、補正された標的画像データを取得するために、標的補正値セットに従って、各ムラ領域における画素を優先度の降順に補正する、段階とを有する。
【０００９】
第１態様、並びに、第１態様の第１及び第２の実装方式に関連して、本発明の第１態様の第３の実装方式において、標的補正値セットを端末に書き込む段階の後に、方法は更に、補償処理を受けたムラ領域の標的グレースケール係数を取得する段階と、標的グレースケール係数を通常領域の予め設定されたグレースケール係数と比較して、比較結果を取得する段階と、比較結果が予め設定された補正合格条件を満たさないと判定されたとき、予め設定された補正合格条件が満たされるまで補正処理を繰り返し、標的補正値セットを更新するために、補正合格条件が満たされたときに取得された補正値セットを端末に書き込む段階とを備える。
【００１０】
第１態様の第１から第３の実装方式に関連して、本発明の第１態様の第４の実装方式において、標的補正値セットを取得するために、複数の標的ムラ領域の各々に対応する標的補正値をＬＵＴから取得する段階は、具体的には、ＬＵＴに従って、各ムラ領域に対応する数値区間を判定する段階と、標的補正値セットを取得するために、予め設定された選択方針に従って、各ムラ領域に対応する標的補正値を選択する段階とを含む。
【００１１】
本発明の第２態様は、画像調整装置を提供し、当該装置は、端末のディスプレイ上に表示される初期画像の初期画像データを受信するように構成される受信モジュールであって、初期画像データは初期画像に対応するムラ（Ｍｕｒａ）領域の画像データを有し、基準閾値セット内に輝度値が無い、少なくとも１つの画素が初期画像データ内に存在するとき、ムラ領域は、ディスプレイ上で少なくとも１つの画素によって覆われる領域である、受信モジュールと、受信モジュールによって受信される初期画像データに従って、ムラ領域の標的特徴データセットを判定するように構成される判定モジュールであって、標的特徴データセットは、少なくとも１つの画素の標的特徴データのセットを含む、判定モジュールと、特徴データと補正値との間の対応関係、及び、少なくとも１つの画素のものである、判定モジュールによって判定される標的特徴データに従って、標的特徴データセットに対応する標的補正値セットを取得するように構成される処理モジュールと、端末が標的補正値セットに従ってムラ領域を補正するように、処理モジュールによって取得される標的補正値セットを端末に書き込むように構成される書き込みモジュールとを備える。
【００１２】
第２態様に関連して、本発明の第２態様の第１の実装方式において、装置は、標的画像データを取得するために、書き込みモジュールによって書き込まれる標的補正値セットに従ってムラ領域を補正するように構成される補正モジュールと、処理モジュールによる補正によって取得される標的画像データに対応する標的画像を出力するように構成される出力モジュールとを更に備える。
【００１３】
第２態様の第１の実装方式に関連して、本発明の第２態様の第２の実装方式において、対応関係は、特徴データと補正値との間の対応関係セットをｎ組含むルックアップテーブル（ＬＵＴ）であり、ｎは１より大きい正の整数であり、複数のＬＵＴが存在し、装置は、予め設定された期間後に、ディスプレイの現在の輝度減衰値に従って、輝度減衰値に対応する標的ＬＵＴを判定するように、並びに、現在使用されているＬＵＴを標的ＬＵＴに更新するように構成され、ＬＵＴ及び輝度減衰値は一対一の対応関係にある、更新モジュールを更に備える。
【００１４】
第２態様の第２の実装方式に関連して、本発明の第２態様の第３の実装方式において、受信モジュールは具体的には、初期画像データのムラ領域を取得するように構成され、初期画像データのムラ領域は複数の標的ムラ領域を含み、処理モジュールは具体的には、標的補正値セットを取得するために、複数の標的ムラ領域の各々に対応する標的補正値をＬＵＴから取得するように構成され、装置は更に、複数の標的ムラ領域の各々の優先度を取得するように構成される取得モジュールを備え、処理モジュールは更に、取得モジュールによって取得される優先度の降順に、各ムラ領域における画素を補正するように構成される。
【００１５】
第２態様、及び、第２態様の第１から第３の実装方式に関連して、本発明の第２態様の第４の実装方式において、取得モジュールは更に、補償処理を受けたムラ領域の標的グレースケール係数を取得するように構成され、装置は更に、標的グレースケール係数を通常領域の予め設定されたグレースケール係数と比較し、比較結果を取得するように構成される比較モジュールを備え、処理モジュールは更に、比較モジュールによって取得された比較結果が予め設定された補正合格条件を満たさないと判定されたとき、予め設定された補正合格条件が満たされるまで、補正処理を繰り返すように構成される。
【００１６】
第２態様の第１から第４の実装方式に関連して、本発明の第２態様の第５の実装方式において、処理モジュールは更に、ＬＵＴに従って、各ムラ領域に対応する数値区間を判定するように構成され、予め設定された選択方針に従って、各ムラ領域に対応する標的補正値を選択するように構成される。
【００１７】
本発明の第３態様は、ビデオデコーダと、メモリと、ダイレクトメモリアクセス（ＤＭＡ）コントローラと、プロセッサとを備える通信端末を提供し、ビデオデコーダは、通信端末へ入力される初期画像データを復号化するように構成され、初期画像データはムラ（Ｍｕｒａ）領域の画像データを有し、基準閾値セット内に輝度値が無い、少なくとも１つの画素が初期画像データ内に存在するとき、ムラ領域はディスプレイ上で少なくとも１つの画素によって覆われる領域であり、メモリは、特徴データと補正値との間の対応関係を記憶するように構成され、ＤＭＡコントローラは、ビデオデコーダが初期画像データを復号化するフェーズにおいて、ムラ領域を補正するためにプロセッサがクエリ要求をＤＭＡコントローラへ送信するとき、メモリから取得された対応関係を含むデータをプロセッサへ送信するように構成され、クエリ要求は、標的特徴データセットに対応する標的補正値セットをクエリするための要求であり、プロセッサは、ビデオデコーダによる復号化によって取得される初期画像データに従って、少なくとも１つの画素の標的特徴データのセットを含む、ムラ領域の標的特徴データセットを判定するように構成され、ＤＭＡコントローラによって送信される対応関係、及び、少なくとも１つの画素の標的特徴データに従って、標的特徴データセットに対応する標的補正値セットを取得するように構成され、標的補正値セットに従ってムラ領域を補正するように、標的補正値セットをメモリに書き込むように構成される。
【００１８】
第３態様に関連して、本発明の第３態様の第１の実装方式において、対応関係は、特徴データと補正値との間の対応関係セットをｎ組含むルックアップテーブル（ＬＵＴ）であり、ｎは１より大きい正の整数であり、複数のＬＵＴが存在し、プロセッサは更に、予め設定された期間の後に、ディスプレイの現在の輝度減衰値に従って、輝度減衰値に対応する標的ＬＵＴを判定し、メモリ内に現在記憶されているＬＵＴを標的ＬＵＴに更新するように構成され、ＬＵＴ及び輝度減衰値は一対一の対応関係にある。
【００１９】
プロセッサは、具体的には、ムラ領域が複数の標的ムラ領域を含むとき、標的補正値セットを取得するために、ＬＵＴにおいてクエリを実行して、複数の標的ムラ領域の各々に対応する標的補正値を取得するように構成され、第３態様の第１の実装方式に関連して、本発明の第３態様の第２の実装方式において、複数の標的ムラ領域の各々の優先度が判定された後に、標的補正値セットを使用することによって、優先度の降順に、各ムラ領域における画素を補正するように構成される。
【００２０】
本発明の第４態様は、本発明の第３態様、又は、第３態様の第１若しくは第２の実装方式のいずれか１つに係る通信端末を備えるディスプレイムラ補正システムを提供する。
【００２１】
本発明において、初期画像データのムラ領域に対応する標的特徴データが取得された後に、特徴データと補正値との間の対応関係に従って、標的データに対応する標的補正値セットが取得され、それにより、補正値精度が改善し、標的補正値セットは端末に書き込まれ、ムラ領域は標的補正値に従って補正され、それにより、ディスプレイムラ補正の難しさを低減することが、上述の技術的解決手段から理解できる。
【図面の簡単な説明】
【００２２】
【図１】本発明の実施形態に係るディスプレイムラ補正方法の実施形態の概略図である。
【００２３】
【図２】本発明の実施形態に係るディスプレイムラ補正方法の実施形態の概略図である。
【００２４】
【図３】本発明の実施形態に係る画像調整装置の概略構造図である。
【００２５】
【図４】本発明の実施形態に係る画像調整装置の別の概略構造図である。
【００２６】
【図５】本発明の実施形態に係る画像調整装置の別の概略構造図である。
【００２７】
【図６】本発明の実施形態に係る画像調整装置の別の概略構造図である。
【００２８】
【図７】本発明の実施形態に係る画像調整装置の別の概略構造図である。
【００２９】
【図８】本発明の実施形態に係るディスプレイムラ補正システムの概略構造図である。
【００３０】
【図９】本発明の実施形態に係る通信端末の概略構造図である。
【００３１】
【図１０】本発明の実施形態に係る通信端末の別の概略構造図である。
【００３２】
【図１１】本発明の実施形態に係るムラ補正処理の概略曲線図である。
【００３３】
【図１２】本発明の実施形態に係るムラ補正後のディスプレイの出力信号の概略曲線図である。
【００３４】
【図１３】本発明の実施形態に係るディスプレイムラ補正システムの別の概略構造図である。
【００３５】
【図１４】本発明の実施形態に係る画像調整装置の物理的構造の概略図である。
【発明を実施するための形態】
【００３６】
当業者が本発明における技術的解決手段をより良く理解できるよう、以下で、本発明の実施形態における添付図面を参照して、本発明の実施形態における技術的解決手段を明確かつ完全に説明する。記載されている実施形態が本発明の実施形態の全てではなく、むしろ一部に過ぎないことは明らかである。創造的努力なしに本発明の実施形態に基づいて当業者によって得られた他の全ての実施形態は、本発明の保護範囲に含まれる。
【００３７】
本発明の明細書、特許請求の範囲、及び添付図面において、「第１」、「第２」、及び同様の用語は、類似のものを区別することを意図するものであり、必ずしも、具体的な順序又は順番を示すわけではない。そのような方式で称されるデータは、適切な状況においては置き換え可能であり、これにより、本明細書において説明されている本発明の実施形態は、本明細書において示される、又は説明されている順序以外の順序で実装され得ることが理解されるべきである。加えて、「備える」、「含む」の用語、及び、他の任意の変形形態は、非排他的な包含を含むことを意味している。例えば、一組の段階又はユニットを含むプロセス、方法、システム、製品、又はデバイスは、必ずしも、それらの段階又はユニットに限定されず、むしろ、明示的に列挙されていない、又は、そのようなプロセス、方法、製品、若しくはデバイスに固有である、他の段階若しくはユニットを備え得る。
【００３８】
本発明の実施形態は、主にディスプレイムラの補正に使用されるディスプレイムラ補正方法、装置、及びシステムを提供し、ムラ補正デバイスが大型で、統合の度合いが低く、補正精度が低く、使用するのに不便であるという従来技術の問題を解決できる。本明細書におけるディスプレイデバイスは、携帯電話、タブレットコンピュータ、スプライシングウォール、又は、ディスプレイを備えた任意のデバイスであり得る。
【００３９】
明細書におけるグレースケールは、画素、すなわち、ディスプレイ上において人が裸眼で見る点であることに注意すべきである。この点は、３つのサブ画素、すなわち、赤、緑、及び青（ＲＧＢ）のサブ画素を含む。各サブ画素における光源は、異なる輝度レベルを示すことができる。グレースケールは、最暗から最明までの異なる輝度レベルを表す。輝度レベルが中間に近くなるほど、イメージエフェクトがより精細になる。８ビットパネルを例として使用する。８ビットパネルは、２８、すなわち、２５６の輝度レベルを示すことができ、２５６の輝度レベルは、２５６グレースケールと呼ばれる。すなわち、ディスプレイ上の各点の色変更は、点を形成する３つのサブ画素ＲＧＢのグレースケール変更によって引き起こされる。
【００４０】
本発明の実施形態は、アクティブマトリクス有機発光ダイオード（ＡＭＯＬＥＤ，  Ａｃｔｉｖｅ−ｍａｔｒｉｘ  ｏｒｇａｎｉｃ  ｌｉｇｈｔ−ｅｍｉｔｔｉｎｇ  ｄｉｏｄｅ）から作製されるディスプレイ及び液晶ディスプレイ（ＬＣＤ，  Ｌｉｑｕｉｄ  Ｃｒｙｓｔａｌ  Ｄｉｓｐｌａｙ）などのアクティブディスプレイデバイスのムラ補正に適用可能であることに注意すべきである。本明細書において、これは具体的に限定されるものではない。
【００４１】
以下では、実施形態におけるディスプレイムラ補正方法を説明する。端末は、アプリケーションプロセッサ（ＡＰ，  Ａｐｐｌｉｃａｔｉｏｎ  Ｐｒｏｃｅｓｓｏｒ）、画像プロセッサ、及び、ＬＵＴを記憶するためのメモリを備える。図１に関連して、本発明の実施形態におけるディスプレイムラ補正方法の実施形態は、以下の段階を備える。
【００４２】
１０１：端末が端末のディスプレイ上に表示される初期画像の初期画像データを受信する。ここで、初期画像データは、初期画像に対応するムラ（Ｍｕｒａ）領域の画像データを含む。基準閾値セット内に輝度値が無い少なくとも１つの画素が、初期画像データ内に存在するとき、ムラ領域はディスプレイ上で少なくとも１つの画素によって覆われる領域である。
【００４３】
実際の適用において、初期画像データは、周辺テストシステムによって送信され得る。周辺テストシステムは、（図５に示されているように）テストモード生成装置、カメラ装置、及び画像調整装置を備える。周辺テストシステムが初期画像データを取得する方式は、以下の通りである。
【００４４】
第１に、周辺テストシステムにおけるテストモード生成装置は、ディスプレイが必要とする複数のテスト画像を生成し、カメラ装置は、ディスプレイ上の画像、すなわち初期画像（例えば、０、３１、６３、１２７、１９１、２２３、及び２５５グレースケールのＲ、Ｇ、及びＢサブ画素を伴うグレースケール画像）を撮影し、次に、グレースケール画像を画像調整装置へ伝送する。画像調整装置は、電荷結合素子（ＣＣＤ，  Ｃｈａｒｇｅ  Ｃｏｕｐｌｅｄ  Ｄｅｖｉｃｅ）画像センサ及び光共振器を含む画像収集モジュールを使用してグレースケール画像をサンプリングし、これにより、ディスプレイの初期画像データを収集し、次に、画像調整装置は、初期画像データに従って、ディスプレイの表示ムラを引き起こすムラ領域を判定し、ムラ領域をマーキングする。具体的なマーキング操作は、厚みをつけること、着色すること、影を付けること、曲線の円を描くこと、又は同様のことであり得て、ムラ領域を識別できればよい。これは具体的に限定されるものではない。
【００４５】
上述の段階に従って、マーキングされたムラ領域を含む初期画像データを取得した後に、周辺テストシステムは、初期画像データを端末へ伝送し、その結果、端末は初期画像データを受信できる。
【００４６】
以下は、画像調整装置がムラ領域を判定するプロセスである。
【００４７】
（１）画像調整装置は、初期画像データを予め設定された基準閾値セットと比較する。基準閾値セットは、複数の基準閾値を含む。
【００４８】
すなわち、特徴データにおける各輝度値は、対応する基準閾値と比較される。初期画像データは、複数の画素の特徴データを含む。特徴データは、輝度値、画素座標、及び同様のものを含むか、又は、スペクトル特徴データ、幾何学的特徴データ、時相特徴データ、及び同様のもの、若しくは、ヒストグラムの特徴、グレーエッジの特徴、線、角、若しくは点の特徴、テクスチャの特徴、及び同様のものを含み得る。
【００４９】
基準閾値セットは、マトリクス形態であり得る。例えば、基準閾値セットは、画素座標と基準閾値との間の対応関係、及び同様のものを含む。画素に対応する基準閾値は、ディスプレイ上の画素の物理的位置、すなわち画素座標に従って判定され得るが、これは具体的にはこれに限定されるものではない。加えて、基準閾値セットは、初期画像データが通常範囲内に含まれるかどうかチェックするために使用される。輝度値は、種々の基準閾値に対応する。同一の基準閾値は、同一種類のディスプレイデバイスのディスプレイの同一の物理的位置上の画素に適用される。
【００５０】
（２）基準閾値内に輝度値が無い画素に覆われる領域は、ムラ領域候補として判定される。
【００５１】
実際の適用において、ムラ領域候補を判定する具体的な方式は、少なくとも以下の通りである。
【００５２】
各画素の輝度値は、基準閾値と比較される。対応する基準閾値内に輝度値が無い画素が存在する場合、画素の輝度値は不合格と判定される。同じことが別の画素にも当てはまる。最後に、予め設定された基準閾値セット範囲外にある少なくとも１つの画素が取得され、ディスプレイ上の少なくとも１つの画素によって占有される連続する物理的位置は、ディスプレイ上の少なくとも１つの画素の物理的位置に従って、ムラ領域候補として設定される。複数のムラ領域候補が存在し得る。
【００５３】
（３）標的ムラ領域が複数のムラ領域候補から判定される。
【００５４】
第１に、各ムラ領域候補に対応する特徴情報が抽出される。特徴情報が標準範囲を超えるムラ領域候補が標的ムラ領域（補正される必要があるムラ領域）として判定される。具体的な特徴情報は、ムラ領域の面積、形状、サイズ、又は位置などの情報を含む。あるいは、具体的には、ムラ領域候補において、補正される必要がある標的ムラ領域は、ムラ領域の面積又は形状に従って判定され得て、標的ムラ領域はマーキングされる。最後に取得される標的ムラ領域は、上述の段階１０１において説明されたムラ領域である。
【００５５】
加えて、標的ムラ領域を判定するための標準範囲は、ディスプレイデバイスを生産する製造者によって設定される。製造者は、面積、形状、サイズ、又は位置など、製品品質についての種々の基準を設けている。
【００５６】
１０２：端末は、ムラ領域の標的特徴データセットを判定する。ここで、標的特徴データセットは、少なくとも１つの画素の標的特徴データのセットを含む。
【００５７】
標的特徴データセットは、少なくとも１つの標的特徴データを含む。各標的特徴データは、１つの画素に対応する。画素は、基準閾値内に輝度値が無い画素、すなわち、補正されることになる画素である。
【００５８】
１０３：端末は、特徴データと補正値との間の対応関係、及び、少なくとも１つの画素の標的特徴データに従って、標的特徴データセットに対応する標的補正値セットを取得する。
【００５９】
標的補正値セットは、ムラ領域における各画素に対応する標的補正値を含む。標的補正値セットは、少なくとも１つの標的補正値を含み、具体的な量は、ムラ領域における画素に従って判定される。各標的補正値は、画素に対応する座標データ、輝度補正値、及び同様のものを含む。
【００６０】
特徴データと補正値との間の対応関係は、ＬＵＴの形態で表現され得る。ＬＵＴは、特徴データと補正値との間の対応関係の複数の組を含む。ＬＵＴは、ローカルで呼び出され得るか、又は、ネットワーク若しくは同様のものを使用することによって周辺画像調整装置から取得され得る。具体的な実装方式は、本明細書において限定されるものではない。
【００６１】
実際の適用において、具体的なＬＵＴ生成方式は、以下の通りである。
【００６２】
バンドパスフィルタは、初期画像データに対してバンドパスフィルタリング（高周波数成分の除去）を実行し、バンドパスデータを生成する。次に、処理管理部は、バンドパスデータに対応する補正値を計算し、種々のグレースケール画像に対応する補正値を取得するためにこの補正値計算プロセスを繰り返し、バンドパスデータを反転する（例えば、マトリクスを転置する）ための画像補正テーブル、すなわち、ＬＵＴを生成する。ＬＵＴは、Ｒ信号、Ｇ信号、及びＢ信号に対応する３種類の画像補正値を含む。端末は、色のムラを抑制するように、３種類の画像補正値に従って、初期画像データのＲＧＢデータに対して、対応する補正を実行する。
【００６３】
従来技術において、標的補正値セットは、大型の周辺補償システムのみによって取得することができる。ムラを表示する端末が大量に存在するとき、周辺補償システムは、処理負荷が比較的重くなり、全端末を必ずしも正確に処理することができない。補正処理は、周辺補償システムに依拠することのみによって完了できる。周辺補償システムに不具合がある場合、補正処理を実行できず、従って、生産効率が低下する。本発明においては、周辺テストデバイス（例えば、画像調整装置。画像調整装置は、ムラ補償機能を含む必要がなく、それにより、デバイス費用を効果的に低減する）のみが、ムラ領域を含む初期画像データを端末へ伝送するために必要であり、端末はその後、単独でムラ補正処理を実行する。本発明において、補正操作の完了には、端末の内蔵画像プロセッサのみが必要であり、それにより、ディスプレイムラ補正システムの統合を効果的に改善する。
【００６４】
１０４：端末が、標的補正値セットを端末に書き込む。
【００６５】
具体的には、標的補正値セットが端末に書き込まれ、その結果、端末は標的補正値セットに従ってムラ領域を補正して標的画像データを取得し、標的画像データに対して、画像鮮明化、（図１１に示されているように）画像色調の動的グレースケールガンマ調整、色彩強調の処理を実行し、次に、（図１２に示されているように）標的画像データをディスプレイに出力して、標的画像データに対応する標的画像を表示する、すなわち、端末のディスプレイの出力画像を調整する。具体的な補正中、ムラを表示する現象を弱める、又は無くすように、各画素の入力画像値は、標的補正値セットに従って補正される。
【００６６】
補正された画像データは、処理のためにデジタル信号プロセッサへ出力され、それにより、処理された画像データをＧＲＢ又はＹＵＶなどの標準形式の画像信号へ変換する。
【００６７】
グレー値、すなわち、ムラ領域の輝度値が、基準閾値より大きい場合、標的補正値は負であり、それにより、輝度値が基準閾値より大きいケースによって引き起こされる影響を除去又は緩和し、その逆も成立することを理解されたい。
【００６８】
例えば、グレー値が基準閾値より大きい場合、輝度は低減される必要がある、すなわち、グレースケール値は減少する必要がある。又は、グレー値が基準閾値より低い場合、ディスプレイの輝度ムラを補償するために、輝度が増加する。
【００６９】
本発明のこの実施形態において、初期画像データのムラ領域に対応する標的特徴データセットが取得された後に、特徴データと補正値との間の対応関係に従って、標的特徴データセットに対応する標的補正値セットが取得され、それにより、補正値精度が改善し、標的補正値セットは端末に書き込まれ、その結果、端末は標的補正値セットに従ってムラ領域を補正し、標的画像データに対応する標的画像を表示する。ムラ補正は、外部周辺補償システムを必要とすることなく、端末の内蔵画像プロセッサを使用することによって直接に完了することができ、それにより、ディスプレイムラ補正の難しさを低減し、生産費用を低減する。
【００７０】
任意で、図１に対応する実施形態に基づき、本発明の実施形態の第１の任意の実施形態において、対応関係は、複数のＬＵＴを含み、ＬＵＴは、ｎ組の特徴データと補正値とを含む対応関係セットであり、ここで、ｎは１より大きい正の整数である。端末が標的補正値セットを端末に書き込む段階の後に、方法は更に、予め設定された期間後に、端末がディスプレイの現在の輝度減衰値に従って、輝度減衰値に対応する標的ＬＵＴを判定する段階と、現在使用されているＬＵＴを標的ＬＵＴに更新する段階であって、ＬＵＴ及び輝度減衰値は一対一の対応関係である、更新する段階とを備える。
【００７１】
端末を使用することによって、端末の内部回路構造又は材料がディスプレイの表示結果に影響し得ることを理解されたい。例えば、駆動電圧、材料の経年劣化、ディスプレイが受ける長期的な圧迫、又は同様のものは、新しいムラを引き起こす。本明細書において、これは具体的に限定されるものではない。
【００７２】
次回にＬＵＴを置き換えるときになった場合、ディスプレイの輝度減衰値が予想減衰値に到達しない（例えば、ディスプレイが長時間にわたって不使用であり、その結果、ディスプレイのムラ現象が不明確である）、又は、予想減衰値を超える（例えば、ディスプレイが過度に使用され、材料が経年劣化する、又は同様のことが起き、その結果、新しいムラが予想より深刻である）場合、対応するＬＵＴは、現在の輝度減衰値に従って判定されるだけで良いことに注意すべきである。
【００７３】
表１において、例が示されている。
【表１】
0006559795.tif 000002
【００７４】
端末は、３つのＬＵＴを記憶する。Ｔ２において、ディスプレイの輝度減衰値はＸ３であるが、予想輝度減衰値はＸ２である。この場合、現在の新しいムラを補正するように、現在の輝度減衰値Ｘ３に対応するＬＵＴ３を選択して現在のＬＵＴを置き換える必要がある。
【００７５】
従来技術においては、ディスプレイが生産される、又は、後に修理されるときだけ、端末のディスプレイに対してムラ補正を実行できることに注意すべきである。しかしながら、ユーザが端末を購入後、端末が一定期間にわたって使用された後に、新しいムラが生じるか、又は、古いムラの補正が駆動電圧、外力、材料、若しくは同様のものに影響される場合、端末のディスプレイは、引き渡し前の補正値で適切に表示できない。この場合、端末は適応型の後補正を単独で実行できない。
【００７６】
本発明のこの実施形態において、ディスプレイ上に現在表示されている画像が、最後に表示された画像と異なる（例えば、異なるアプリケーションＡＰＰは、表示される画像に影響し得る）と判定されるとき、及び、現在の画像がムラ領域を有するとき、ＬＵＴ内において適応的にクエリを実行することによって、現在の画像のムラ領域に対応する補正値セットが取得され、現在の画像を調整するために適応的補正が実行される。又は、端末の現在のオペレーティングシステムが変化することが検出されるとき、現在の画像は適応的に調整される。
【００７７】
オペレーティングシステムの変更には、少なくとも、現在のオペレーティングシステムの更新（例えば、アップグレード）、現在のオペレーティングシステムの種類の変更（例えば、Ａｎｄｒｏｉｄ（登録商標）システムをＷｉｎｄｏｗｓ（登録商標）システムと置き換える）などの複数のケースが含まれる。本明細書において、これは具体的に限定されるものではない。
【００７８】
任意で、図１に対応する実施形態、及び、第１の任意の実施形態に基づき、本発明の実施形態の第２の任意の実施形態において、ムラ領域は、複数の標的ムラ領域を含み、特徴データと補正値との間の対応関係、及び少なくとも１つの画素の標的特徴データに従って、標的特徴データセットに対応する標的補正値セットが取得されること、並びに、標的補正値セットが端末に書き込まれることは、具体的には、複数の標的ムラ領域を含む、初期画像データのムラ領域を端末が取得することと、標的補正値セットを取得するために、複数の標的ムラ領域の各々に対応する標的補正値をＬＵＴから取得することと、その後、標的補正値セットを端末に書き込み、これにより、複数の標的ムラ領域の各々の優先度を判定した後に、端末は、補正された標的画像データを取得するために、標的補正値セットに従って、各ムラ領域における画素を優先度の降順に補正する、こととを備える。ムラは、領域ごとに補正され、これにより、補正がより良好に標的設定され、補正効果が改善され、補正回数の量及び補正時間が減少し、ムラ補正精度が改善し、ディスプレイ品質が効果的に改善する。
【００７９】
対応関係セットにおける補正値は、階調度によって変化し、例えば、階調度によって増加又は減少する。これは、開発者によって、大量のテストを用いて取得される。
【００８０】
ムラ領域の優先度は、ムラ領域のサイズ、形状、種類、又は、ディスプレイ上のムラ領域の位置などの同様の特徴に従って定義され得るが、本明細書において、これは具体的に限定されるものではないことを理解されたい。
【００８１】
任意で、図１に対応する実施形態、及び、第１の任意の実施形態に基づき、本発明の実施形態において提供されるディスプレイムラ補正方法の第３の任意の実施形態において、端末が初期画像データのムラ領域を取得した後、及び、端末が特徴データと補正値との間の対応関係に従って、標的特徴データセットに対応する標的補正値セットを取得する前に、方法は更に、ローカルで事前に構成されるＬＵＴを取得する段階、又は、画像調整装置によって送信されるＬＵＴを受信する段階を備える。
【００８２】
ＬＵＴは、画像調整装置によって事前に構成され得るか、又は、ネットワークから、データベースから、若しくは別の同様の方式で取得され得て、次にローカルで記憶され得るが、ムラ補正が実行されているときにＬＵＴを迅速に呼び出すことさえできればよいことを理解されたい。具体的な取得方式、又は、時間的順序のいずれも、本明細書において限定されるものではない。
【００８３】
任意で、図１に対応する実施形態、及び、第１又は第２の任意の実施形態に基づき、本発明の実施形態において提供されるディスプレイムラ補正方法の第３の任意の実施形態において、標的補正値セットを端末に書き込む段階の後に、方法は更に、補償処理を受けたムラ領域の標的グレースケール係数を端末が取得する段階と、標的グレースケール係数を通常領域の予め設定されたグレースケール係数と比較して、比較結果を取得する段階と、比較の結果が予め設定された補正合格条件を満たさないと判定されるとき、端末が予め設定された補正合格条件が満たされるまで補正処理を繰り返す段階（段階１０２を参照）と、標的補正値セットを更新するために、補正合格条件が満たされるとき、取得された補正値セットを端末に書き込む段階とを備える。
【００８４】
実際の適用において、標的グレースケール係数を、通常領域の予め設定されたグレースケール係数と比較する実装方式は、以下の通りである。
【００８５】
標的グレースケール係数と、通常領域の予め設定されたグレースケール係数との間の差又は比が計算される。差が、予め設定された第１閾値範囲を超える、又は、比が、予め設定された第２閾値範囲を超えるとき、ムラ領域は予め設定された補正合格条件を満たさないと判定され、予め設定された補正合格条件が満たされるまで補正処理が繰り返される。
【００８６】
本明細書においては、差及び比の例が示されているに過ぎず、別の同様の実装方式が限定されるものではないことに注意すべきである。
【００８７】
任意で、図１に対応する実施形態、及び、第１、第２、又は第３の任意の実施形態に基づき、本発明の実施形態において提供されるディスプレイムラ補正方法の第４の任意の実施形態において、複数の標的ムラ領域の各々に対応する標的補正値がＬＵＴから取得されることは、具体的には、端末がＬＵＴに従って各ムラ領域に対応する数値区間を判定することと、予め設定された選択方針に従って、各ムラ領域に対応する標的補正値を選択することとを備える。
【００８８】
予め設定された選択方針は、予め設定された下限選択方針、又は、予め設定された近接度ベースの選択方針を含み得る。
【００８９】
標的補正値が選択されているとき、端末は、予め設定された下限選択方針に従って、各ムラ領域に対応する標的補正値を選択し得る。例えば、ＬＵＴがマトリクスであるとき、各ムラ領域に対応する画素データが含まれる数値区間が最初に判定され、次に、画素データに対応し、ＬＵＴテーブル内にある標的画像データ、すなわち、もっとも近い画像データが下限選択方針に従って判定され、ムラに対応する標的補正値が判定される。例えば、Ｍｎ−１＜Ｍｘ＜Ｍｎとする。Ｍｘが［Ｍｎ−１，Ｍｎ］内に含まれる場合、Ｍｎ−１に対応するＷｎ−１が選択される。
【００９０】
代替的に、各ムラ領域に対応する標的補正値は、予め設定された近接度ベースの選択方針に従って選択され得る。例えば、Ｍｎ−１＜Ｍｘ＜Ｍｎとする。Ｍｘの値がＭｎに近い場合、Ｍｎに対応するＷｎが選択される。又は、Ｍｘの値がＭｎ−１に近い場合、Ｍｎ−１に対応するＷｎ−１が選択される。
【００９１】
例えば、ＬＵＴがマトリクスであるとき、各ムラ領域に対応する画素データが含まれる数値区間が最初に判定され、次に、画素データに対応し、ＬＵＴテーブル内にある標的画像データ、すなわち、もっとも近い画像データが下限選択方針に従って判定され、ムラに対応する標的補正値が判定される。
【００９２】
加えて、（以下の表２において示されているように）大量のテストによって取得される、補正値と特徴データとの間の対応関係が、ディスプレイデバイス又は画像処理装置において予め設定される。この場合、画像が撮影されるとき、対応関係をテストすることによって、ムラ領域に対応する標的補正値を判定できる。
【００９３】
［補正値と特徴データとの間の対応関係の表］
【表２】
0006559795.tif 000003
【００９４】
ＬＵＴは、マトリクス形態、アレイ形態、又は、別の同様の表現形態のデータであり得ることに注意すべきである。本明細書において、これは具体的に限定されるものではない。
【００９５】
理解を容易にするために、以下では、具体的な適用シナリオを使用することによって、本発明の実施形態におけるディスプレイムラ補正方法を説明する。例えば、携帯電話は、携帯電話のディスプレイ上のムラを補正する。ＬＵＴは、携帯電話のＡＰチップ内において予め設定される。携帯電話のＡＰチップは、アプリケーションプロセッサ階層化ドライバインタフェース（ＡＰ  ＬＤＩ、Ａｐｐｌｉｃａｔｉｏｎ  Ｐｒｏｃｅｓｓｏｒ  Ｌａｙｅｒｅｄ  Ｄｒｉｖｅｒ  Ｉｎｔｅｒｆａｃｅ）モジュール及び画像プロセッサを有する。ＡＰ  ＬＤＩモジュールは、ビデオエンコーダ、ビデオデコーダ、並びにダイレクトメモリアクセス（ＤＭＡ、Ｄｉｒｅｃｔ  Ｍｅｍｏｒｙ  Ａｃｃｅｓｓ）コントローラを含む。図２及び図５に関連して、本発明の実施形態は以下の段階を含む。
【００９６】
２０１：カメラ装置が、携帯電話のディスプレイをテストするための初期画像データをバンドパスフィルタへ伝送する。
【００９７】
２０２：バンドパスフィルタが、初期画像データに対してフィルタリング処理を実行する。
【００９８】
２０３：処理管理部は、初期画像データを輝度分布データへ変換し、輝度分布データを予め設定された基準閾値と比較する。
【００９９】
一般的に、８×８画素又は４×４画素が、輝度分布データのための単位として使用される。本明細書において、これは具体的に限定されるものではない。
【０１００】
２０４：処理管理部は、輝度分布データのムラ領域を取得し、初期画像データのムラ領域をマーキングし、次に、ムラ領域がマーキングされた初期画像データを携帯電話のＡＰチップへ伝送する。
【０１０１】
輝度分布データのムラ領域は、複数の標的ムラ領域を含む。
【０１０２】
以下の表３において示されているように、曲線領域におけるデータは、標的ムラ領域に対応する輝度分布データである。
【表３】
0006559795.tif 000004
【０１０３】
２０５：画像プロセッサは、ＤＭＡコントローラによって伝送されるＬＵＴテーブルを受信し、ムラ領域に対応する標的補正値セットをＬＵＴから取得する。
【０１０４】
つまり、複数の標的ムラ領域の各々に対応する標的補正値が取得される。
【０１０５】
例えば、Ｍ３＝（Ｒ３，Ｃ３）とする。表１においてクエリを実行することにより、Ｍ３に対応する標的補正値はＷ３であることが分かる。実際のテストでは、Ｗ３＝４である。同様に、Ｍ４＝（Ｒ４，Ｃ４）とすると、それに対応するものは、Ｗ４＝−２．２であり、それ以外も同様に行われる。
【０１０６】
２０６：画像プロセッサは、各ムラ領域における画素を全ての標的ムラ領域の優先度の降順に補正する。
【０１０７】
表３の曲線内における、予め設定された閾値を超えるデータが別々に補正された後に取得されるデータが下の表４に示されている。
【表４】
0006559795.tif 000005
【０１０８】
具体的には、画像プロセッサは、複数の標的ムラ領域の各々の優先度を最初に判定し得て、次に、例えばムラ面積の降順に、優先度に従って、又は、形状に従って（補正は、十字形ムラ、角ムラ、円弧形ムラ、丸形ムラの左から右の順序に別々に実行される）、複数の標的ムラ領域を別々に補正する。具体的な補正順序は、実際の製品テスト基準に基づき、製品テスト中に、関連するテスト基準に到達できればよい。本明細書において、これは具体的に限定されるものではない。
【０１０９】
２０７：画像プロセッサは、補償処理を受けたムラ領域の標的グレースケール係数を取得する。
【０１１０】
２０８：画像プロセッサは、標的グレースケール係数を通常領域の予め設定されたグレースケール係数と比較して、比較結果を取得する。
【０１１１】
２０９：比較結果が、予め設定された補正合格条件を満たさないと判定されるとき、画像プロセッサは、予め設定された補正合格条件が満たされるまで、段階２０４から段階２０６までを繰り返す。
【０１１２】
本発明のこの実施形態において、初期画像データの複数の標的ムラ領域が受信され、複数の標的ムラ領域は、領域ごとに補正され、その結果、補正がより良好に標的設定され、補正効果が改善され、補正回数の量及び補正時間が減少する。ムラ補正は、外部周辺補償システムを必要とすることなく、携帯電話の内蔵画像プロセッサを使用することによって直接に完了することができ、それにより、ディスプレイムラ補正の難しさを低減し、生産費用を低減する。加えて、補正の各回の後に、補正された標的画像データに対して補正合格チェックが実行され、それにより、ムラ補正精度を効果的に改善し、製品収量を改善する。
【０１１３】
上記では、本発明の実施形態におけるディスプレイムラ補正方法を詳細に説明した。以下では、本発明の実施形態における画像調整装置の実施形態を説明する。装置は、画像処理の分野に適用され得る。図３に関連して、本発明のこの実施形態は、端末のディスプレイ上に表示される初期画像の初期画像データを受信するように構成される受信モジュール３０１であって、初期画像データは、初期画像に対応するムラ（Ｍｕｒａ）領域の画像データを有し、基準閾値セット内に輝度値が無い少なくとも１つの画素が、初期画像データ内に存在するとき、ムラ領域は、ディスプレイ上で少なくとも１つの画素によって覆われる領域である、受信モジュール３０１と、受信モジュール３０１によって受信された初期画像データに従って、ムラ領域の標的特徴データセットを判定するように構成される判定モジュール３０２であって、標的特徴データセットは、少なくとも１つの画素の標的特徴データのセットを含む、判定モジュール３０２と、特徴データと補正値との間の対応関係、及び、少なくとも１つの画素のものであり、判定モジュール３０２によって判定された標的特徴データに従って、標的特徴データセットに対応する標的補正値セットを取得するように構成される処理モジュール３０３であって、標的補正値セットは、ムラ領域内の少なくとも１つの画素に対応する標的補正値セットを含む、処理モジュール３０３と、端末が標的補正値セットに従ってムラ領域を補正するように、処理モジュール３０３によって取得された標的補正値セットを端末に書き込むように構成される書き込みモジュール３０４とを備える。
【０１１４】
本発明のこの実施形態において、判定モジュール３０２が、受信モジュール３０１によって取得される初期画像データに従って、ムラ領域に対応する標的特徴データセットを判定した後に、処理モジュール３０３は、特徴データと補正値との間の対応関係に従って、標的特徴データセットに対応する標的補正値セットを取得し、それにより、補正値精度を改善する。書き込みモジュール３０４は、標的補正値セットを端末に書き込み、その結果、端末は標的補正値セットに従ってムラ領域を補正する。本発明のこの実施形態において、ムラ補正は、外部周辺補償システムを必要とすることなく、端末の内蔵画像処理モジュールを使用することによって直接に完了することができ、それにより、ディスプレイムラ補正の難しさを効果的に低減し、補償システムの統合を改善し、生産費用を低減し、携帯性及び実施可能性を改善する。
【０１１５】
任意で、図３に対応する実施形態に基づき、図４に関連して、本発明の実施形態の第１の任意の実施形態において、本発明のこの実施形態における画像調整装置は、標的画像データを取得するために、書き込みモジュール３０４によって書き込まれる標的補正値セットに従ってムラ領域を補正するように構成される補正モジュール３０５と、補正モジュール３０５による補正によって取得される標的画像データに対応する標的画像を出力するように構成される出力モジュール３０６とを更に備える。
【０１１６】
任意で、第１の任意の実施形態に基づき、図５に関連して、本発明の実施形態の第２の任意の実施形態において、複数のＬＵＴが存在し、装置は更に、更新モジュール３０７を備える。更新モジュール３０７は、予め設定された期間後に、ディスプレイの現在の輝度減衰値に従って、輝度減衰値に対応する標的ＬＵＴを判定し、現在使用されているＬＵＴを標的ＬＵＴに更新するように構成される。ここで、ＬＵＴ及び輝度減衰値は、一対一の対応関係にある。
【０１１７】
任意で、図３に対応する実施形態、及び、第１又は第２の任意の実施形態に基づき、図６に関連して、本発明の実施形態の第３の任意の実施形態において、装置は更に、初期画像データのムラ領域を取得するように構成される取得モジュール３０８を備え、初期画像データのムラ領域は、複数の標的ムラ領域を含む。
【０１１８】
処理モジュール３０３は、具体的には、標的補正値セットを取得するために、複数の標的ムラ領域の各々に対応する標的補正値をＬＵＴから取得するように構成される。
【０１１９】
取得モジュール３０８は更に、複数の標的ムラ領域の各々の優先度を取得するように構成される。
【０１２０】
補正モジュール３０５は、具体的には、取得モジュール３０８によって取得される優先度の降順に、各ムラ領域における画素を補正するように構成される。
【０１２１】
任意で、図３に対応する実施形態、及び、第１から第３の任意の実施形態に基づき、図７に関連して、本発明の実施形態の第４の任意の実施形態において、取得モジュール３０８は更に、補償処理を受けたムラ領域の標的グレースケール係数を取得するように構成される。
【０１２２】
装置は更に、標的グレースケール係数を通常領域の予め設定されたグレースケール係数と比較して、比較結果を取得するように構成される比較モジュール３０９を備える。
【０１２３】
処理モジュール３０３は更に、比較モジュール３０９によって取得される比較結果が、予め設定された補正合格条件を満たさないと判定されるとき、予め設定された補正合格条件が満たされるまで、補正処理を繰り返し、補正合格条件が満たされるときに取得された補正値セットを端末に書き込み、標的補正値セットを更新するように構成される。
【０１２４】
任意で、図３に対応する実施形態、及び、第１から第４の任意の実施形態に基づき、本発明の実施形態の第５の任意の実施形態において、処理モジュール３０３は更に、ＬＵＴに従って、各ムラ領域に対応する数値区間を判定し、予め設定された選択方針に従って、各ムラ領域に対応する標的補正値を選択するように構成される。
【０１２５】
予め設定された選択方針は、予め設定された下限選択方針、又は、予め設定された近接度ベースの選択方針を含み得る。
【０１２６】
標的補正値が選択されているとき、各ムラ領域に対応する標的補正値は、予め設定された下限選択方針に従って選択され得る。例えば、ＬＵＴがマトリクスであるとき、各ムラ領域に対応する画素データが含まれる数値区間が最初に判定され、次に、画素データに対応し、ＬＵＴテーブル内にある、標的画像データ、すなわち、もっとも近い画像データが下限選択方針に従って判定され、ムラに対応する標的補正値が判定される。例えば、Ｍｎ−１＜Ｍｘ＜Ｍｎとする。Ｍｘが［Ｍｎ−１，Ｍｎ］内に含まれる場合、Ｍｎ−１に対応するＣｎ−１が選択される。
【０１２７】
代替的に、各ムラ領域に対応する標的補正値は、予め設定された近接度ベースの選択方針に従って選択され得る。例えば、Ｍｎ−１＜Ｍｘ＜Ｍｎとする。Ｍｘの値がＭｎに近い場合、Ｍｎに対応するＣｎが選択される。又は、Ｍｘの値がＭｎ−１に近い場合、Ｍｎ−１に対応するＣｎ−１が選択される。
【０１２８】
図９に関連して、以下では、本発明の実施形態における通信端末を説明する。この実施形態において、通信端末は、これらに限定されないが、携帯電話、端末、携帯情報端末（Ｐｅｒｓｏｎａｌ  Ｄｉｇｉｔａｌ  Ａｓｓｉｓｔａｎｔ，ＰＤＡ）、又はタブレットコンピュータなどのディスプレイデバイスを含む。本発明のこの実施形態は、ビデオデコーダ４０１、メモリ４０２、ダイレクトメモリアクセス（ＤＭＡ）コントローラ４０３、及びプロセッサ５０４を備える。
【０１２９】
ビデオデコーダ４０１は、通信端末に入力される初期画像データを復号化するように構成される。初期画像データは、ムラ（Ｍｕｒａ）領域の画像データを含む。基準閾値セット内に輝度値が無い少なくとも１つの画素が、初期画像データ内に存在するとき、ムラ領域は、ディスプレイ上で少なくとも１つの画素によって覆われる領域である。
【０１３０】
メモリ４０２は、特徴データと補正値との間の対応関係を記憶するように構成される。
【０１３１】
ＤＭＡコントローラ４０３は、ビデオデコーダ４０１が初期画像データを復号化するフェーズにおいて、ムラ領域を補正するように、プロセッサ４０４がクエリ要求をＤＭＡコントローラへ送信するとき、メモリ４０２から取得された対応関係を含むデータをプロセッサ４０４へ送信するように構成され、クエリ要求は、標的特徴データセットに対応する標的補正値セットをクエリするための要求である。
【０１３２】
プロセッサ４０４は、ビデオデコーダ４０１による復号化によって取得される初期画像データに従って、少なくとも１つの画素の標的特徴データのセットを含む、ムラ領域の標的特徴データセットを判定し、ＤＭＡコントローラによって送信される対応関係に従って、標的特徴データセットに対応する標的補正値セットを取得し、標的補正値セットに従ってムラ領域を補正するように、標的補正値セットをメモリ４０２に書き込むように構成される。
【０１３３】
プロセッサ４０４は更に、標的補正値セットに従ってムラ領域を補正した後、標的画像データを取得し、標的画像データに対応する標的画像を出力するように構成される。
【０１３４】
本発明のこの実施形態において、ＤＭＡコントローラ４０３は、メモリ４０２から取得される対応関係を含むデータをプロセッサ４０４へ送信し、その結果、プロセッサ４０４は、対応関係に従って、標的特徴データセットに対応する標的補正値セットを取得し、標的補正値セットに従ってムラ領域を補正し、補正によって取得される標的画像を出力し、それにより、ディスプレイムラ補正の難しさを効果的に低減する。
【０１３５】
任意で、図９に対応する実施形態に基づき、本発明の実施形態の第１の任意の実施形態において、複数のＬＵＴが存在し、プロセッサ４０４は更に、予め設定された期間後に、ディスプレイの現在の輝度減衰値に従って、輝度減衰値に対応する標的ＬＵＴを判定し、メモリ内に現在記憶されているＬＵＴを標的ＬＵＴに更新するように構成される。ここで、ＬＵＴ及び輝度減衰値は一対一の対応関係にある。
【０１３６】
実際の適用において、メモリ４０２は、リードオンリメモリ（ＲＯＭ、リードオンリメモリ）であり得る。図１０において示されているように、ＡＰチップは通常、通信端末内に組み込まれ、ＬＵＴはＡＰチップ内において予め設定され、その結果、ＡＰチップが画像増強アルゴリズム及びエッジシャープニング（ｅｄｇｅ  ｓｈａｒｐｅｎｉｎｇ）アルゴリズムを実行するとき、ムラ補正値がＡＰチップのメモリ内に移植され、補正中に呼び出されやすくなる。この実施形態において、プロセッサは具体的には、ＡＰチップ内に組み込まれた画像処理モジュールであり得る。具体的な適用において、ディスプレイムラ補正システムの構造については、図８を参照されたい。
【０１３７】
任意で、図９に対応する実施形態、及び、第１の任意の実施形態に基づき、本発明の実施形態の第２の任意の実施形態において、ムラ領域が複数の標的ムラ領域を含むとき、プロセッサ４０４は、具体的には、標的補正値セットを取得するために、ＬＵＴにおいてクエリを実行して、複数の標的ムラ領域の各々に対応する標的補正値を取得するように構成され、複数の標的ムラ領域の各々の優先度が判定された後に、標的補正値セットを使用することによって、優先度の降順に、各ムラ領域における画素を補正するように構成される。
【０１３８】
補正効果を改善し、補正回数の量及び補正時間を低減し、ムラ補正精度を改善するように、ムラ領域は領域ごとに補正することができることを理解されたい。
【０１３９】
上記では、本発明の実施形態におけるディスプレイムラ補正方法及び装置を詳細に説明した。以下では、本発明の実施形態におけるディスプレイムラ補正システムの実施形態を説明する。システムは、様々なディスプレイ技術の分野に適用され得る。図１３に関連して、本発明のこの実施形態は、図９に対応する実施形態、又は、第１若しくは第２の任意の実施形態のいずれか１つに係る通信端末を備える。
【０１４０】
図１４は、本発明の実施形態に係る画像調整装置１４０の別の概略構造図である。画像調整装置１４０は、装置間の接続及び通信を実装するために、少なくとも１つの入力ユニット１４０１、少なくとも１つのディスプレイユニット１４０２、少なくとも１つのプロセッサ１４０３、メモリ１４０４、及びＲＦ回路１４０５を有し得る。装置と、少なくとも１つの他の装置との間の通信接続は、（有線又は無線であり得る）少なくとも１つの通信インタフェースを使用することによって実装される。インターネット、ワイドエリアネットワーク、ローカルエリアネットワーク、メトロポリタンエリアネットワーク、及び同様のものが使用され得る。
【０１４１】
入力ユニット１４０１は、端末のディスプレイの初期画像の初期画像データを端末のプロセッサ１４０３へ入力するように構成される。
【０１４２】
メモリ１４０４は、リードオンリメモリ及びランダムアクセスメモリを含み得て、プロセッサ１４０３のための命令及びデータを提供する。メモリ１４０４の一部は、高速ランダムアクセスメモリ（ＲＡＭ，Ｒａｎｄｏｍ  Ａｃｃｅｓｓ  Ｍｅｍｏｒｙ）を更に含み得て、不揮発性メモリ（ｎｏｎ−ｖｏｌａｔｉｌｅ  ｍｅｍｏｒｙ）を更に含み得る。
【０１４３】
メモリ１４０４は、特徴データと補正値との間の対応関係を記憶するように構成され、また、以下の要素、実行可能モジュール若しくはデータ構造、又は、そのサブセット若しくは拡張設定を記憶する。
操作命令：様々な操作命令を含み、様々な操作を実装するために使用される。
オペレーティングシステム：様々なシステムプログラムを含み、様々な基本的サービスを実装し、ハードウェアベースのタスクを処理するために使用される。
【０１４４】
ディスプレイユニット１４０２は、プロセッサ１４０３によって補正される標的画像を表示するように構成される。
【０１４５】
ＲＦ回路１４０５は主に、端末と無線ネットワーク（すなわち、ネットワーク側）との間に通信を確立するように構成され、これにより、例えば、ＳＭＳメッセージ及び電子メールの受信及び送信などの、端末と無線ネットワークとの間でのデータの受信及び送信を実装する。具体的には、ＲＦ回路１４０５は、ＲＦ信号を受信及び送信する。ＲＦ信号はまた、電磁信号とも称される。ＲＦ回路１４０５は、電気信号を電磁信号へ変換するか、又は、電磁信号を電気信号に変換して、電磁信号を使用することによって、通信ネットワーク及び別のデバイスと通信する。ＲＦ回路１４０５は、機能を実行するために、これらに限定されないが、アンテナシステム、ＲＦトランシーバ、１又は複数の増幅器、チューナ、１又は複数のオシレータ、デジタル信号プロセッサ、ＣＯＤＥＣチップセット、及び加入者識別モジュール（Ｓｕｂｓｃｒｉｂｅｒ  Ｉｄｅｎｔｉｔｙ  Ｍｏｄｕｌｅ，ＳＩＭ）などを含む公知の回路を有し得る。
【０１４６】
本発明のこの実施形態において、プロセッサ１４０３は、メモリ１４０４内に記憶され得る操作命令（操作命令はオペレーティングシステム内に記憶され得る）を呼び出すことによって、端末のディスプレイ上に表示される初期画像の初期画像データを受信する操作であって、初期画像データは初期画像に対応するムラ（Ｍｕｒａ）領域の画像データを含み、基準閾値セット内に輝度値が無い、少なくとも１つの画素が初期画像データ内に存在するとき、ムラ領域は、ディスプレイ上で当該少なくとも１つの画素によって覆われる領域である、操作と、ムラ領域の標的特徴データセットを判定する操作であって、標的特徴データセットは、当該少なくとも１つの画素の標的特徴データのセットを含む、操作と、特徴データと補正値との間の対応関係、及び少なくとも１つの画素の標的特徴データに従って、標的特徴データセットに対応する標的補正値セットを取得する操作と、標的補正値セットに従って端末がムラ領域を補正するように、標的補正値セットを端末に書き込む操作とを実行する。
【０１４７】
標的補正値セットが端末に書き込まれた後に、プロセッサ１４０３は更に、標的画像データを取得するために、標的補正値セットに従ってムラ領域を補正する操作と、ディスプレイユニット１４０２を使用することによって、標的画像データに対応する標的画像を出力する操作と実行するように構成される。
【０１４８】
いくつかの実装方式において、対応関係は、特徴データと補正値との間の対応関係セットをｎ組含むルックアップテーブル（ＬＵＴ）であり、ｎは１より大きい正の整数である。ムラ領域は複数の標的ムラ領域を含む。プロセッサ１４０３は具体的には、標的補正値セットを取得するために、複数の標的ムラ領域の各々に対応する標的補正値をＬＵＴから取得する段階と、標的補正値セットを端末に書き込む段階であって、これにより、複数の標的ムラ領域の各々の優先度を判定後、補正された標的画像データを取得するために、標的補正値セットに従って、優先度の降順に、各ムラ領域における画素を端末が補正する段階とを実行するように構成される。
【０１４９】
いくつかの実装方式において、標的補正値セットを端末に書き込む段階の後に、プロセッサ１４０３は更に、予め設定された期間後に、ディスプレイの現在の輝度減衰値に従って、輝度減衰値に対応する標的ＬＵＴを判定する段階と、現在使用されているＬＵＴを標的ＬＵＴに更新する段階であって、ＬＵＴ及び輝度減衰値は一対一の対応関係である、段階とを実行するように構成され得る。
【０１５０】
いくつかの実装方式において、標的補正値セットを端末に書き込む段階の後に、プロセッサ１４０３は更に、補償処理を受けたムラ領域の標的グレースケール係数を取得する段階と、標的グレースケール係数を、通常領域の予め設定されたグレースケール係数と比較して、比較結果を取得する段階と、比較の結果が予め設定された補正合格条件を満たさないと判定されたとき、予め設定された補正合格条件が満たされるまで補正処理を繰り返し、標的補正値セットを更新するために、補正合格条件が満たされたときに取得された補正値セットを端末に書き込む段階とを実行するように構成され得る。
【０１５１】
いくつかの実装方式において、プロセッサ１４０３は具体的には、ＬＵＴに従って、各ムラ領域に対応する数値区間を判定する段階と、標的補正値セットを取得するために、予め設定された選択方針に従って、各ムラ領域に対応する標的補正値を選択する段階とを実行するように更に構成され得る。
【０１５２】
上述の実施形態では、各実施形態の説明は、それぞれの焦点を有する。一実施形態において詳細に説明されていない部分については、他の実施形態における関連する説明が参照されてよい。
【０１５３】
簡便かつ簡潔に説明することを目的として、上述のシステム、装置、及びユニットの詳細な動作プロセスについて、上述の方法の実施形態の対応するプロセスが参照されてよく、本明細書において詳細は説明されないことを、当業者は明確に理解するだろう。
【０１５４】
本出願において提供される実施形態において、開示されるシステム、装置、及び方法は、他の方式で実装され得ることを理解すべきである。例えば、説明された装置の実施形態は、例に過ぎない。例えば、ユニットの区分けは、論理的機能の区分けに過ぎず、実際の実装においては他の分割であってよい。例えば、複数のユニット又はコンポーネントは、別のシステムに組み合わせられ又は統合されてよく、又は、いくつかの特徴は、無視されてもよく、実行されてもよい。加えて、表示された、又は議論された相互結合、又は直接的な結合若しくは通信接続は、いくつかのインタフェースを使用することによって実装されてよい。装置間又はユニット間における間接的な結合又は通信接続は、電子的、機械的、又は他の形式で実装されてよい。
【０１５５】
別個の部分として説明されるユニットは、物理的に別個であってもなくてもよく、ユニットとして表示される部分は、物理的なユニットであってもなくてもよく、１つの位置に配置されてよく、又は、複数のネットワークユニットにおいて分散されてもよい。実施形態の解決手段の目的を実現するよう、実際の必要性に従って、ユニットの一部又は全部が選択されてよい。
【０１５６】
加えて、本発明の実施形態の機能ユニットは、１つの処理ユニットに統合されてよく、又は、それらのユニットの各々は、物理的に単独で存在してよい、又は、２若しくはより多くのユニットが１つのユニットに統合される。統合されたユニットは、ハードウェアの形態で実装されてよく、又は、ソフトウェア機能ユニットの形態で実装されてよい。
【０１５７】
統合されたユニットがソフトウェア機能ユニットの形態で実装され、独立した製品として販売又は使用される場合、統合されたユニットは、コンピュータ可読記憶媒体に記憶されてよい。そのような理解に基づいて、本発明の技術的解決手段は基本的に、又は従来技術に寄与する部分は、又は技術的解決手段の全部若しくは一部は、ソフトウェア製品の形態で実装されてよい。ソフトウェア製品は、記憶媒体に記憶され、（パーソナルコンピュータ、サーバ、又はネットワークデバイスであってよい）本発明の実施形態において説明された方法の段階のうちの全部又は一部を実行するようコンピュータデバイスに命令するためのいくつかの命令を含む。記憶媒体は、ＵＳＢフラッシュドライブ、リムーバブルハードディスク、ＲＯＭ、ランダムアクセスメモリ（ＲＡＭ，Ｒａｎｄｏｍ  Ａｃｃｅｓｓ  Ｍｅｍｏｒｙ）、磁気ディスク、又は光学ディスクなど、プログラムコードを記憶できる任意の媒体を含む。
【０１５８】
本発明において提供される、ディスプレイムラ補正方法及び装置は、上で詳細に説明されている。本発明の原理及び実装方式は、具体的な実施形態を使用することによって、明細書において説明されている。実施形態についての説明は、本発明の方法及び核心的思想の理解を助けるために提供されているに過ぎない。加えて、当業者であれば、本発明の思想に係る具体的な実装及び適用範囲という点で、本発明に対して、変更又は修正を加え得る。従って、本明細書の内容は、本発明を限定するものと解釈されるべきではない。
【図１】
0006559795.tif 000006
【図２】
0006559795.tif 000007
【図３】
0006559795.tif 000008
【図４】
0006559795.tif 000009
【図５】
0006559795.tif 000010
【図６】
0006559795.tif 000011
【図７】
0006559795.tif 000012
【図８】
0006559795.tif 000013
【図９】
0006559795.tif 000014
【図１０】
0006559795.tif 000015
【図１１】
0006559795.tif 000016
【図１２】
0006559795.tif 000017
【図１３】
0006559795.tif 000018
【図１４】
0006559795.tif 000019